(57)【要約】【課題】容易に移動可能としながらも、移動の際にタンクの内部から水が流出することを防止できる移動式水洗大便器装置を提供する。【解決手段】車輪２００は、便器本体１００の後方下部に設けられ、便器本体１００がその前部を持ち上げられて傾斜することで、便器本体１００を移動可能とするように構成され、内部に水を貯留するタンク１５１は、その後方寄りの部分が、外部から空気を導入させないように遮蔽される遮蔽領域とされ、その前方寄りの部分に、外部から空気を導入させる空気導入口１５２が設けられている。【選択図】図２
2016061102.tif 000002
【特許請求の範囲】
【請求項１】
床面上を移動可能な移動式水洗大便器装置であって、
汚物を一時的に受け止めるボウル部と、内部に水を貯留するタンクと、前記タンクに貯留された水を洗浄のために前記ボウル部に供給する洗浄水供給手段と、を有する便器本体と、
前記便器本体を移動させる移動機構と、を備え、
前記移動機構は、前記便器本体の後方下部に設けられ、前記便器本体がその前部を持ち上げられて傾斜することで、前記便器本体を床面上で移動可能とするように構成され、
前記タンクは、その後方寄りの部分が、外部から空気を導入させないように遮蔽される遮蔽領域とされ、その前方寄りの部分に、外部から空気を導入させる空気導入口が設けられていることを特徴とする移動式水洗大便器装置。
【請求項２】
前記空気導入口から前記タンクの外部に流出した水を受け止めるとともに、前記タンクの内部に戻す受水手段を備えていることを特徴とする請求項１に記載の移動式水洗大便器装置。
【請求項３】
前記空気導入口の少なくとも下部の周縁に沿うとともに、前記空気導入口から前方に突出する空気導入管を備えていることを特徴とする請求項２に記載の移動式水洗大便器装置。
【請求項４】
前記タンクの内部に設けられ、前記タンクの前方寄りの内壁に沿って水が上昇することを妨げることで、前記空気導入口に流入することを抑制する流入抑制手段を備えていることを特徴とする請求項１に記載の移動式水洗大便器装置。
【請求項５】
前記便器本体の傾斜角度が所定値以下となるように、前記便器本体の傾斜を規制する傾斜規制手段を備えていることを特徴とする請求項１に記載の移動式水洗大便器装置。
【発明の詳細な説明】
【技術分野】
【０００１】
本発明は、床面上を移動可能な移動式水洗大便器装置に関する。
【背景技術】
【０００２】
足腰が不自由な高齢者等にとっては、ベッド等から住宅のトイレ室までといった比較的短い距離であっても、歩行による移動は大きな負担となる。このため、排泄の度に介護者の補助を要する高齢者も少なくない。
【０００３】
このように歩行困難な高齢者等であっても、一人で排泄を行うことが可能となるように、ベッドの近傍に便器本体を設置したいという要望がある。一方、排泄行為に使用される機器である便器本体が、非排泄時までベッドの近傍に設置されることは通常好まれない。このように相反する要望に対応するため、住宅内で便器本体を移動可能とした移動式大便器装置が種々提案されている。
【０００４】
下記特許文献１には、車輪（キャスター）によって移動可能な移動式大便器装置が記載されている。この移動式大便器装置は、便器本体の後方下部のみに車輪が設けられている。高齢者が着座して排泄を行う際は、この車輪と、便器本体の前方下部とで床面に接地することで、便器本体は床面に対し固定される。一方、便器本体を移動させる際は、便器本体はその前方側を持ち上げられることで傾斜し、車輪のみで支持される姿勢となる。この車輪が床面上で回転することにより、便器本体全体を持ち上げることなく、移動させることが可能となる。
【０００５】
このような移動式大便器装置では、便器本体を衛生的な状態に維持するために、水洗式にすることも提案されている。この移動式水洗大便器装置では、便器本体の上方や後方に、水を貯留するタンクを設けることが一般的である。このタンクの内部に貯留されている水は、使用後の便器本体のボウル部に供給され、ボウル部の洗浄に用いられる。
【先行技術文献】
【特許文献】
【０００６】
【特許文献１】特開２００６−１０２３４０号公報
【発明の概要】
【発明が解決しようとする課題】
【０００７】
前述したような移動式水洗大便器装置では、ボウル部の洗浄の際にタンクの内部から水を排出するために、その水と置換するように外部から空気を導入する必要がある。このため、タンクには、タンクの内外を連通する空気導入口が設けられる。タンクの内部に貯留されている水が、この空気導入口を介して外部に流出することがないように、空気導入口は水面よりも上方に設けられる。
【０００８】
しかしながら、便器本体を移動させる際に、便器本体の前部を持ち上げて傾斜させると、タンクの内部における水面の位置が変動する。これにより、水面が空気導入口に達し、水が空気導入口を介して外部に流出してしまうおそれがあった。
【０００９】
また、便器本体の移動中においては、慣性や振動により、タンクの内部の水に揺動が生じる。このため、水面が一時的に空気導入口に達し、水が外部に流出するおそれが更に高まる。
【００１０】
このような課題の解決策として、例えば、空気導入口を、タンクの内部の水面から上方に大きく離間した位置に設けることも考えられる。しかし、この場合、タンクの大型化、延いては移動式水洗大便器装置の大型化を招いてしまう。移動式水洗大便器装置は住宅内に設置されるため、装置の大型化や、それに伴う意匠性の低下は好ましいものではない。
【００１１】
この他にも、例えば、便器本体の後方下部のみならず、前方下部にも車輪を設けることで、便器本体を傾斜させることなく移動可能とすることも、解決策として考えられる。しかし、この場合、高齢者が便器本体に着座して使用する際に、前後の車輪が回転すると姿勢が不安定となり、高齢者が転倒してしまうおそれがある。使用時の安定を得るために、この車輪の回転を一時的に規制する別途の手段を設けることも、更なる解決策として考えられる。しかしこの場合も、製造コストの増加を招くほか、便器本体を移動させる際はこの規制を解除するという新たな手間が生じるため、便器本体を移動可能なものとした利便性が大きく損なわれてしまう。
【００１２】
本発明はこのような課題に鑑みてなされたものであり、その目的は、容易に移動可能としながらも、移動の際にタンクの内部から水が流出することを防止できる移動式水洗大便器装置を提供することにある。
【課題を解決するための手段】
【００１３】
上記課題を解決するために、本発明に係る移動式水洗大便器装置は、床面上を移動可能な移動式水洗大便器装置であって、汚物を一時的に受け止めるボウル部と、内部に水を貯留するタンクと、前記タンクに貯留された水を洗浄のために前記ボウル部に供給する洗浄水供給手段と、を有する便器本体と、前記便器本体を移動させる移動機構と、を備え、前記移動機構は、前記便器本体の後方下部に設けられ、前記便器本体がその前部を持ち上げられて傾斜することで、前記便器本体を床面上で移動可能とするように構成され、前記タンクは、その後方寄りの部分が、外部から空気を導入させないように遮蔽される遮蔽領域とされ、その前方寄りの部分に、外部から空気を導入させる空気導入口が設けられていることを特徴としている。
【００１４】
本発明に係る移動式水洗大便器装置では、便器本体を床面上で移動させる際に、便器本体の前部を持ち上げて傾斜させると、タンクの後方寄りの内壁に沿って水面が上昇する。しかしながら、タンクの後方寄りの部分は、外部から空気を導入させないように遮蔽される遮蔽領域とされているため、この水面上昇によってタンクの内部から水が流出することはない。
【００１５】
タンクの内部に空気を導入させる空気導入口は、タンクの前方寄りの部分に設けられている。このタンクの前方寄りの部分では、便器本体の前部を持ち上げて傾斜させると、内壁に沿って水面が下降する。したがって、タンクの内部から水が空気導入口を介して流出してしまうことを防止することができる。
【００１６】
すなわち、本発明に係る移動式水洗大便器装置によれば、便器本体の前部を持ち上げて傾斜させることで、容易に移動可能とすることができるとともに、移動の際にタンクの内部から水が流出することを防止することが可能となる。
【００１７】
また本発明に係る移動式水洗大便器装置では、前記空気導入口から前記タンクの外部に流出した水を受け止めるとともに、前記タンクの内部に戻す受水手段を備えていることも好ましい。
【００１８】
この好ましい態様では、便器本体の移動中にタンクの内部の水に揺動が生じ、タンクの前方寄りの部分における水面が一時的に上昇し、水面が一時的に空気導入口に達した場合でも、その水をタンクの内部に戻すことができるため、タンクの内部からの水の流出を確実に防止することが可能となる。
【００１９】
また本発明に係る移動式水洗大便器装置では、前記空気導入口の少なくとも下部の周縁に沿うとともに、前記空気導入口から前方に突出する空気導入管を備えていることも好ましい。
【００２０】
この好ましい態様では、空気導入管は、空気導入口の下部の周縁に沿っているため、空気導入口から流出した水を受け止めるとともに、空気導入口を介してタンク内部に確実に戻すことが可能となる。
【００２１】
また本発明に係る移動式水洗大便器装置では、前記タンクの内部に設けられ、前記タンクの前方寄りの内壁に沿って水が上昇することを妨げることで、前記空気導入口に流入することを抑制する流入抑制手段を備えていることも好ましい。
【００２２】
便器本体を傾斜させた状態から傾斜前の状態に戻す際に、タンクの内部の水が揺動する。したがって、タンクの内部の前方寄りの部分において、水面が一時的に大きく上昇し、水が空気導入口を介して外部に流出するおそれが高まる。
【００２３】
このような課題に対し、この好ましい態様では、タンクの内部において、タンクの前方寄りの内壁に沿って水が上昇することを妨げるため、空気導入口を介して外部に水が流出することを確実に防止することが可能となる。
【００２４】
また本発明に係る移動式水洗大便器装置では、前記便器本体の傾斜角度が所定値以下となるように、前記便器本体の傾斜を規制する傾斜規制手段を備えていることも好ましい。
【００２５】
この好ましい態様では、便器本体の傾斜を規制することで、便器本体を傾斜させた状態から傾斜前の状態に戻す際の、タンクの内部の水の揺動を抑制することができる。これにより、空気導入口を介して外部に水が流出することをさらに確実に防止することが可能となる。
【発明の効果】
【００２６】
本発明によれば、容易に移動可能としながらも、移動の際にタンクの内部から水が流出することを防止できる移動式水洗大便器装置を提供することができる。
【図面の簡単な説明】
【００２７】
【図１】本発明の実施形態に係る移動式水洗大便器装置の外観を示す図である。
【図２】図１に示した移動式水洗大便器装置の構造を模式的に示す断面図である。
【図３】図１に示した移動式水洗大便器装置を傾斜させた状態を模式的に示す断面図である。
【図４】図１に示した移動式水洗大便器装置の移動中の状態を模式的に示す断面図である。
【図５】図１に示した移動式水洗大便器装置の傾斜を規制している状態を模式的に示す断面図である。
【図６】図５に示した傾斜させた移動式水洗大便器装置を傾斜前に戻した状態を模式的に示す断面図である。
【発明を実施するための形態】
【００２８】
以下、添付図面を参照しながら本発明の実施形態について説明する。説明の理解を容易にするため、各図面において同一の構成要素に対しては可能な限り同一の符号を付して、重複する説明は省略する。
【００２９】
まず、本発明の実施形態に係る移動式水洗大便器装置について、図１及び図２を参照しながら説明する。図１は、本発明の実施形態に係る移動式水洗大便器装置ＭＳの外観を示す図である。図２は、図１に示した移動式水洗大便器装置の構造を模式的に示す断面図である。
【００３０】
図１に示されるように、移動式水洗大便器装置ＭＳ（以下、単に「大便器装置ＭＳ」ともいう）は、住宅の床面Ｆ上に設置される大便器装置である。
【００３１】
この大便器装置ＭＳには、排水配管３００及び給水配管４００の端部が接続されている。排水配管３００は可撓性を有し、その他端部の排水接続部３１０において、住宅の壁面Ｗに設けられた給排水コンセント５００に接続されている。同様に、給水配管４００も可撓性を有し、その他端部の給水接続部４１０において、給排水コンセント５００に接続されている。排水接続部３１０及び給水接続部４１０は、給排水コンセント５００に対し着脱自在となっている。
【００３２】
後述するように、大便器装置ＭＳは、使用者が排泄した汚物をボウル部１１１で受け止めた後、排水配管３００を介して当該汚物を圧送する。排水配管３００は、排水接続部３１０及び給排水コンセント５００を介して下水管（不図示）に連通しており、圧送された汚物は下水管に排出される。
【００３３】
また、汚物を受け止めたボウル部１１１の洗浄のため、給水配管４００を介してボウル部１１１に水が供給される。給水配管４００は、給水接続部４１０及び給排水コンセント５００を介して水道管（不図示）に連通しており、水道管から水が供給される。
【００３４】
給排水コンセント５００は、住宅内の複数の居室の壁面Ｗに設けられている。このため、住宅内で大便器装置ＭＳを移動させ、排水接続部３１０及び給水接続部４１０を各居室の給排水コンセント５００に接続することで、各居室において大便器装置ＭＳを使用可能な状態とすることができる。
【００３５】
図２に示されるように、大便器装置ＭＳは、便器本体１００と、車輪２００と、を備えている。便器本体１００は、ボウル部１１１と、排出流路１１３と、処理装置１４０と、洗浄水供給装置１５０と、を有している。
【００３６】
ボウル部１１１は、上方が開放されたすり鉢状に形成されており、使用者が排出した汚物を一時的に受け止める。ボウル部１１１の上端部には、略水平な面を有するリム部１１２が形成されており、このリム部１１２上に便座１３０が載置されている。使用者は、この便座１３０に自身の臀部を乗せて（着座して）排泄を行う。
【００３７】
排出流路１１３は、その一端がこのボウル部１１１の下端部に接続されている。排出流路１１３は、トラップ１１４と、下流流路１１５と、を有している。トラップ１１４は、その下流側端部が上方に向けて延びるように形成されることで、その内部に水を貯留することができる。また、下流流路１１５は、そのトラップ１１４の下流側端部から下方に折り返すように延びている。これにより、トラップ１１４の内部に貯留される水は、下流流路１１５からボウル部１１１側への気体の逆流を防止する封水として機能する。
【００３８】
処理装置１４０は、便器本体１００から排出された汚物及び洗浄水（以下、両者をまとめて「汚水」とも称する）を攪拌して流動性を高めた状態で、下水管に向けて圧送し排出する装置である。処理装置１４０は、貯留槽１４１と、パルセータ１４３と、を有している。
【００３９】
貯留槽１４１は、汚水を内部に貯留するための略円筒形状に形成された容器であって、その前方側の側面に排出流路１１３の下流流路１１５が接続されている。また、貯留槽１４１の後方側の側面には、排水配管３００が接続されている。これにより、ボウル部１１１、排出流路１１３、貯留槽１４１、排水配管３００は、内部が連通した状態となっている。
【００４０】
パルセータ１４３は、貯留槽１４１の中心軸に沿って配置された棒状のシャフト１４２の下端に対して固定され、貯留槽１４１の内部の底面近傍に配置されている。シャフト１４２の上端は、貯留槽１４１の上部に配置されたモータ（不図示）の出力軸に対し固定されている。
【００４１】
当該モータが動作すると、シャフト１４２がその中心軸周りに回転し、パルセータ１４３が回転する。このパルセータ１４３の回転により、貯留槽１４１に貯留されている汚水が攪拌され、汚物（排泄物）が粉砕されながら洗浄水と混合されるため、汚水の流動性が高められる。
【００４２】
パルセータ１４３により流動性を高められた汚水は、貯留槽１４１から排水配管３００に圧送される。この汚水は、排水配管３００、排水接続部３１０及び給排水コンセント５００を介して、下水管に排出される。
【００４３】
洗浄水供給装置１５０は、ボウル部１１１に対して洗浄のための水（洗浄水）を供給する装置である。洗浄水供給装置１５０は、タンク１５１と、内部流路１５４と、を有している。
【００４４】
タンク１５１は、その内部に水を貯留する容器であり、ボウル部１１１の後方に設けられている。タンク１５１の後方寄りの側面には、給水配管４００が接続されている。これにより、水道管から給排水コンセント５００、給水接続部４１０及び給水配管４００を介して供給される水がタンク１５１の内部に流入する。
【００４５】
内部流路１５４は、タンク１５１の内部に貯留された水をボウル部１１１に供給する流路である。内部流路１５４は、一端部がタンク１５１の前方寄りの側面に接続され、他端部がボウル部１１１の上部に接続されている。また、タンク１５１とボウル部１１１との間には、内部流路１５４の開閉を行うバルブ１５５が設けられている。バルブ１５５が内部流路１５４を開放することにより、タンク１５１の内部の水が内部流路１５４に流入し、ボウル部１１１の上部に供給される。この水は、ボウル部１１１の表面を下方に流れることにより、使用後のボウル部１１１の洗浄が行われる。
【００４６】
ここで、タンク１５１には、空気導入口１５２が設けられている。空気導入口１５２は、タンク１５１を貫通してその内外を連通させる円形の孔である。
【００４７】
タンク１５１の内部の水が、内部流路１５４を介して外部に排出されると、タンク１５１の内部が負圧となり、空気が空気導入口１５２を介してタンク１５１の内部に導入される。すなわち、タンク１５１の内部に貯留されていた水と置換するように、外部から空気が導入される。一方、給水配管４００を介してタンク１５１に水を供給する際は、流入する水によってタンク１５１の内部が正圧となり、空気導入口１５２を介して空気がタンク１５１の外部に排出される。すなわち、タンク１５１の内部に供給される水と置換するように、空気が外部に排出される。
【００４８】
この空気導入口１５２は、タンク１５１の前方寄りの部分であって、タンク１５１の内部に貯留されている水の水面よりも上方に、１つだけ設けられている。タンク１５１の後方寄りの部分は、外部から空気を導入させないように遮蔽されている。
【００４９】
空気導入口１５２には、空気導入管１５３が挿通された状態で固定されている。空気導入管１５３は、空気導入口１５２の外周縁に沿うように円筒状に形成され、タンク１５１から外方に向けて突出する外部管１５３ａと、タンク１５１の内部に向けて突出する内部管１５３ｂと、からなる。
【００５０】
車輪２００は、便器本体１００の後方下部に２つ設けられている（図２では、手前側の車輪２００のみを図示している）。便器本体１００は、この２つの車輪２００と、前方下部に設けられる脚部１７０とによって、３点において下方から支持されることで、床面Ｆ上に載置されている。この３点における支持により、便器本体１００のリム部１１２は略水平となり、使用者が便座１３０に着座して排泄を行うことができる。便器本体１００の前方下部が、脚部１７０によって床面Ｆに対し不動に支持されることで、使用者は安定した姿勢で排泄を行うことができる。
【００５１】
また、便器本体１００の後方下部には、突起１８０が設けられている。突起１８０は、車輪２００の更に後方から、下方に向けて突出するように設けられている。
【００５２】
次に、図３乃至図５を参照しながら、以上のように構成された大便器装置ＭＳの移動及び傾斜について説明する。図３は、図１に示した大便器装置ＭＳを傾斜させた状態を模式的に示す断面図である。図４（Ａ）（Ｂ）は、図１に示した大便器装置ＭＳの移動中の状態を模式的に示す断面図である。図５は、図１に示した移動式水洗大便器装置ＭＳの傾斜を規制している状態を模式的に示す断面図である。図６は、図５に示した傾斜させた移動式水洗大便器装置ＭＳを傾斜前に戻した状態を模式的に示す断面図である。
【００５３】
図３に示されるように、非排泄時に大便器装置ＭＳを移動させる際は、便器本体１００の前部を持ち上げることで、脚部１７０を床面Ｆから離間させた状態とする。これにより、便器本体１００は、車輪２００を中心として回転して傾斜した状態となる。また、便器本体１００は、車輪２００のみによって床面Ｆ上で支持されて、移動可能な状態となる。
【００５４】
このように便器本体１００が傾斜することにより、タンク１５１の内部において水面の変動が生じる。まず、タンク１５１の後方寄りの部分では、その内壁に沿って水面が上昇する。しかしながら、前述したように、タンク１５１の後方寄りの部分は、外部から空気を導入させないように遮蔽されている。したがって、この水面上昇によって、タンク１５１内部の水が流出することはない。
【００５５】
一方、タンク１５１内部に空気を導入させる空気導入口１５２は、タンク１５１の前方寄りの部分に設けられている。このタンク１５１の前方寄りの部分では、便器本体１００の前部を持ち上げて傾斜させると、内壁に沿って水面が下降する。したがって、タンク内部の水が空気導入口１５２を介して流出してしまうことを防止することができる。
【００５６】
また、図４（Ａ）及び図４（Ｂ）に示されるように、便器本体１００を傾斜させた状態で移動させると、慣性や振動により、タンク１５１の内部の水に揺動が生じる。すなわち、タンク１５１の内部の水は、交互に図４（Ａ）及び図４（Ｂ）に示される状態となるように、水面の波打ちが生じる。このため、タンク１５１の前方寄りの部分における水面が一時的に上昇し、水面が空気導入口１５２に達して、水が外部に流出するおそれが高まる。
【００５７】
しかしながら、空気導入口１５２を介して水が外部に流出しようとした場合でも、空気導入口１５２に挿通された空気導入管１５３の外部管１５３ａが、この水を受け止めるとともに、空気導入口１５２を介してタンク１５１内部に戻すように機能する。したがって、タンク１５１内部からの水の流出を確実に防止することが可能となる。
【００５８】
また、図４（Ｂ）に示されるように、空気導入管１５３の内部管１５３ｂは、便器本体１００の移動時に、タンク１５１の前方寄りの内壁に沿って水が上昇することを妨げるように機能している。すなわち、内部管１５３ｂは、タンク１５１の内部に向けて突出しているため、水がこの内部管１５３ｂと干渉することで、内壁に沿って上昇することを妨げられる。このため、タンク１５１の内部からの水の流出をさらに確実に防止することが可能となる。
【００５９】
また、大便器装置ＭＳでは、便器本体１００の傾斜角度が所定値以下となるように規制している。すなわち、図５に示されるように、便器本体１００の前部を持ち上げて傾斜させると、便器本体１００の底面と床面Ｆとがなす角度が角度θとなったところで、便器本体１００の後方下部に設けられた突起１８０が床面Ｆと当接するように構成されている。これにより、便器本体１００が、角度θ以上傾斜しないように規制している。
【００６０】
したがって、図６に示されるように、便器本体１００を傾斜した状態から傾斜前の状態に戻す際に、タンク１５１の内部の水に作用する慣性を抑制し、水の揺動を抑制することができる。これにより、空気導入口１５２を介して外部に水が流出することをさらに確実に防止することが可能となる。
【００６１】
また、便器本体１００を傾斜前の状態に戻す際に、タンク１５１の前方寄りの内壁に沿って水が上昇しようとする。しかしながら、この上昇も空気導入管１５３の内部管１５３ｂによって妨げられるため、空気導入口を介して外部に水が流出することを確実に防止することが可能となる。
【００６２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１００：便器本体
１１１：ボウル部
１５１：タンク
１５２：空気導入口
１５３ａ：外部管（受水手段）
１５３ｂ：内部管（流入抑制手段）
１８０：突起（傾斜角度規制手段）
２００：車輪（移動機構）
ＭＳ：移動式水洗大便器装置
【図１】
2016061102.tif 000003
【図２】
2016061102.tif 000004
【図３】
2016061102.tif 000005
【図４】
2016061102.tif 000006
【図５】
2016061102.tif 000007
【図６】
2016061102.tif 000008